(57)【要約】【課題】レンズ支持体の光軸の傾きを防止できると共に部品点数を少なくできるレンズ駆動装置、カメラ及びカメラ付き携帯電話を提供する。【解決手段】レンズ駆動装置１において、レンズ支持体５を支持するスプリング７は、環状の外周側部７ａと、外周側部７ａの内周側に周方向に沿って等間隔に配置し且つ対向して一対となる少なくとも２組の内周側部７ｂ、７ｃと、各内周側部７ｂ、７ｃと外周側部７ａとを連結する腕部７ｄとを有し、レンズ支持体５はスプリング係止部１７ａ、１７ｂを外周面に有し、スプリングの外周側部７ａは、レンズ支持体５の前端５ａと後端５ｂとの間に位置し、少なくとも２組の内周側部７ｃ、７ｂはレンズ支持体５の前端５ａと後端５ｂとの間で且つ前後方向の異なる位置でレンズ支持体５に係止している。【選択図】図１
2011013452.tif 000002
【特許請求の範囲】
【請求項１】
マグネットが固定された環状のヨークと、ヨークの内周側に配置され且つ外周にコイルが固定されたレンズ支持体と、ヨークの後側に設けたベースと、ベースに対してレンズ支持体を移動自在に支持するスプリングとを備え、コイルに通電して生じる電磁力によりレンズ支持体をベースに対してレンズの光軸方向に沿って前後に移動するレンズ駆動装置において、
スプリングは組付け前の自然状態が平板状であり、環状の外周側部と、外周側部の内周側に周方向に沿って等間隔に配置し且つ対向して一対となる少なくとも２組の内周側部と、各内周側部と外周側部とを連結する腕部とを有し、レンズ支持体はスプリングの各内周側部を係止するスプリング係止部を外周面に有し、スプリングの外周側部はベースとヨークとの間に挟持してあり且つレンズ支持体の前端と後端との間に位置し、少なくとも２組の内周側部はレンズ支持体の前端と後端との間で且つ前後方向の異なる位置でレンズ支持体に係止していることを特徴とするレンズ駆動装置。
【請求項２】
スプリングの一方の組の内周側部は他方の組の内周側部よりも前側に位置し且つ、他方の組の内周側部は外周側部と前後方向において同じ位置にあることを特徴とする請求項１に記載のレンズ駆動装置。
【請求項３】
レンズ支持体に設けたスプリング係止部は、周方向に間隔をあけて設けてあり、スプリングの各内周側部はスプリング係止部間に跨って係止していると共に各内周側部に接続されている腕部はスプリング係止部間に位置していることを特徴とする請求項２に記載のレンズ駆動装置。
【請求項４】
スプリングの一方の組の内周側部と他方の組の内周側とが、レンズ支持体の前後方向における重心を跨いだ位置でレンズ支持体に係止していることを特徴とする請求項１〜３のいずれか一項に記載のレンズ駆動装置。
【請求項５】
請求項１〜４の何れか一項に記載のレンズ駆動装置を備えることを特徴とするカメラ。
【請求項６】
請求項５に記載のカメラを搭載したことを特徴とするカメラ付き携帯電話。
【発明の詳細な説明】
【技術分野】
【０００１】
本発明は、レンズ駆動装置、カメラ及びカメラ付き携帯電話に関する。
【背景技術】
【０００２】
特許文献１には、レンズ支持体の前端に前側スプリングを配置し、レンズ支持体の後端に後側スプリングを配置し、合計２つのスプリングでレンズ支持体を前後に移動自在に支持するレンズ駆動装置が開示されている。
【０００３】
前側スプリングと後側スプリングの各スプリングは、環状の外周側部と、外周側部の内周側に設けた環状の内周側部と、外周側部と内周側部とを連結する腕部とで構成し、前側スプリングの内周側部と後側スプリングの内周側部とでレンズ支持体を前後で挟持している。
【先行技術文献】
【特許文献】
【０００４】
【特許文献１】特開２００５−１２８３９２号公報
【発明の概要】
【発明が解決しようとする課題】
【０００５】
しかし、レンズ支持体は前側スプリングと、後側スプリングとの２つのスプリングでレンズ支持体を支持しているので、２つのスプリングの精度誤差や装着時におけるずれ等によりレンズ支持体の光軸が前後でずれて光軸が傾きやすいという問題がある。また、部品点数を削減する要求もある。
【０００６】
そこで、本発明は、レンズ支持体の光軸の傾きを防止できると共に部品点数を少なくできるレンズ駆動装置、カメラ及びカメラ付き携帯電話の提供を目的とする。
【課題を解決するための手段】
【０００７】
請求項１に記載の発明は、マグネットが固定された環状のヨークと、ヨークの内周側に配置され且つ外周にコイルが固定されたレンズ支持体と、ヨークの後側に設けたベースと、ベースに対してレンズ支持体を移動自在に支持するスプリングとを備え、コイルに通電して生じる電磁力によりレンズ支持体をベースに対してレンズの光軸方向に沿って前後に移動するレンズ駆動装置において、スプリングは組み付け前の自然状態が平板状であり、環状の外周側部と、外周側部の内周側に周方向に沿って等間隔に配置し且つ対向して一対となる少なくとも２組の内周側部と、各内周側部と外周側部とを連結する腕部とを有し、レンズ支持体はスプリングの各内周側部を係止するスプリング係止部を外周面に有し、スプリングの外周側部はベースとヨークとの間に挟持してあり且つレンズ支持体の前端と後端との間に位置し、少なくとも２組の内周側部はレンズ支持体の前端と後端との間で且つ前後方向の異なる位置でレンズ支持体に係止していることを特徴とする。
【０００８】
請求項２に記載の発明は、請求項１に記載の発明において、スプリングの一方の組の内周側部は他方の組の内周側部よりも前側に位置し且つ、他方の組の内周側部は外周側部と前後方向において同じ位置にあることを特徴とする。
【０００９】
請求項３に記載の発明は、請求項２に記載の発明において、レンズ支持体に設けたスプリング係止部は、周方向に間隔をあけて設けてあり、スプリングの各内周側部はスプリング係止部間に跨って係止していると共に各内周側部に接続されている腕部はスプリング係止部間に位置していることを特徴とする。
【００１０】
請求項４に記載の発明は、請求項１〜３の何れか一項に記載の発明において、スプリングの一方の組の内周側部と他方の組の内周側とが、レンズ支持体の前後方向における重心を跨いだ位置でレンズ支持体に係止していることを特徴とする。
【００１１】
請求項５に記載の発明は、請求項１〜４の何れか一項に記載のレンズ駆動装置を備えることを特徴とするカメラである。
【００１２】
請求項６に記載の発明は、請求項５に記載のカメラを搭載したことを特徴とするカメラ付き携帯電話である。
【発明の効果】
【００１３】
請求項１に記載の発明によれば、スプリングは、外周側部をレンズ支持体の前端と後端との間（中間部）に対応する位置に配置し、各組の内周側部はレンズ支持体の前端と後端との間（中間部）において、前後方向の異なる位置でレンズ支持体に係止しているので、一つのスプリングでレンズ支持体を支持することができ、２つのスプリングを用いる従来技術よりも部品点数を削減することができる。
【００１４】
一つのスプリングでレンズ支持体を支持しているから、従来技術のように２つのスプリングでレンズ支持体を支持する場合に比較して、２つのスプリング間の精度誤差や取付誤差によるレンズ支持体の光軸の傾きを防止できると共に、組み付け時におけるレンズ支持体の光軸調整が容易にできる。
【００１５】
レンズ支持体に係止した複数の内周側部が各々独立して腕部により外周側部に連結しているので、レンズ支持体が径方向に移動した場合に四方に設けた内周側部が各々レンズ支持体を中央に向けて付勢するから、レンズ支持体が径方向に偏るのを防止でき、いわゆる芯出しが容易にできる。
【００１６】
請求項２に記載の発明によれば、請求項１に記載の作用効果を奏すると共に、一方の組の内周側部を他方の組の内周側部よりも前側に配置し且つ他方の組の内周側部は外周側部と前後方向において同じ位置にすることにより、コイルに通電していないときにはレンズ支持体をベースに向けて押圧しているので、落下や振動等の外力に対するレンズ支持体の振れを低減できる。
【００１７】
請求項３に記載の発明によれば、請求項１に記載の作用効果を奏すると共に、スプリングの腕部がレンズ支持体のスプリング係止部と干渉するのを防止できる。
【００１８】
請求項４に記載の発明によれば、請求項１〜３の何れか一項に記載の作用効果を奏すると共に、一つのスプリングでレンズ支持体を安定に支持することができる。
【００１９】
請求項５に記載の発明によれば、請求項１〜４の何れか一項に記載の作用効果を奏するカメラを提供できる。
【００２０】
請求項６に記載の発明によれば、請求項５に記載の作用効果を奏するカメラ付き携帯電話を提供できる。
【図面の簡単な説明】
【００２１】
【図１】（ａ）は第１実施の形態に係るレンズ駆動装置において、スプリングをレンズ支持体に取付け状態を抜き出して示す斜視図であり、（ｂ）は（ａ）のスプリングのみを抜き出して示す斜視図である。
【図２】レンズ駆動装置に装着前（自然状態）にあるスプリングの斜視である。
【図３】図２に示すスプリングの平面図である。
【図４】本実施の形態に係るレンズ駆動装置の分解斜視図である。
【図５】図６に示すＡ―Ａ断面図である。
【図６】本実施の形態に係るレンズ駆動装置の平面図である。
【発明を実施するための形態】
【００２２】
以下に、添付図面の図１〜図６を参照して本発明の実施の形態を詳細に説明する。本実施の形態に係るレンズ駆動装置１は、携帯電話に組み込まれるオートフォーカスカメラのレンズ駆動装置である。
【００２３】
このレンズ駆動装置１は、図４及び図５に示すように、環状のヨーク３と、レンズ支持体５と、スプリング７と、ヨーク３の後側に配置されるベース９とを備えており、ヨーク３とスプリング７との間には絶縁体（スペーサ）１１が配置されている。このレンズ駆動装置１は、縦横が約８．５ｍｍ、高さが約５ｍｍで非常に小さいものである。尚、レンズ支持体５の内周には、図示を省略しているが、レンズが固定されている。
【００２４】
図６に示すように、ヨーク３は前側から見て外周が平面視矩形であり、内周が平面視円形になっており、図５に示すように、外周壁３ａと、内周壁３ｂと、外周壁３ａと内周壁３ｂとを連結する連結壁３ｃとからなり、外周壁３ａと内周壁３ｂと連結壁３ｃとで断面がコ字形状又はＵ字形状を成している。尚、内周側壁３ｂはヨーク３の角部１２にあるが、角部１２、１２間にはない。
【００２５】
ヨーク３の各角部１２において、外周壁３ａの内周面にはマグネット１３が固定されている。マグネット１３は、角部１２のみに設けてある。
【００２６】
図４及び図５に示すようにレンズ支持体５は略円筒形状であり、ヨーク３の内周側を光軸方向（前後方向）に移動自在に設けられている。レンズ支持体５の外周には環状のコイル１５が固定されており、コイル１５はレンズ支持体５に一体に設けた前側係止凸部１９（後述する）との間に、スプリング７の一方の組の内周側部７ｂ（後述する）を挟持している。
【００２７】
スプリング７は、組み付け前の自然状態が平板状であり、図１〜図３に示すように、平面視矩形の環状を成す外周側部７ａと外周側部７ａの内周に配置され、平面視円弧形状の４つの内周側部７ｂ、７ｃと、各内周側部７ｂ、７ｃと外周側部７ａとを連結する各腕部７ｄとで構成されている。
【００２８】
４つの内周側部７ｂ、７ｃは全体として円形を成しており、互いに対向する一方の組の内周側部７ｂ、７ｂと、他方の組みの内周側部７ｃ、７ｃとで構成されている。各内周側部７ｂ、７ｃは等間隔に且つ略同じ円弧長で配置されており、本実施の形態では、円弧の略１／４の長さである。
【００２９】
腕部７ｄは、径方向に沿って複数に屈曲した形状としてあり、径方向（ラジアル方向）に弾性変形可能に設けてあると共に前後方向（スラスト方向）に対しても弾性変形可能に設けてある。
【００３０】
スプリング７は、組み付け前の自然状態では、図２及び図３に示すように、外周側部７ａと内周側部７ｂ、７ｃと、腕部７ｄとは略面一になっている。
【００３１】
尚、スプリング７の外周側部７ａには端子３３、３５が設けてあると共に図３に示すように、外周側部７ａは端子３３、３５を境に２つに分割されており、一方の分割部分と他方の分割部分とはコイル１５に電気的に接続されている。これにより、一方の端子３３から入力された電流がコイル１５に通電され、他方の端子３５から流出するようになっている。
【００３２】
レンズ支持体５は、図１（ａ）及び図４に示すように、周方向に等間隔をあけて設けた４つのスプリング係止部１７ａ、１７ｂが一体に形成されている。各スプリング係止部１７ａ、１７ｂには、前端側係止凸部１９と後端側係止凸部２１とが設けてあり、前端側係止凸部１９は後端側係止凸部２１よりも光軸方向前側に位置して、２つの係止凸部１９、２１が段状に形成してある。
【００３３】
一方のスプリング係止部１７ａと他方のスプリング係止１７ｂはそれぞれ周方向に等間隔で交互に合計４つ設けてあり、一方のスプリング係止部１７ａの後端側係止凸部２１と、他方のスプリング係止部１７ｂの後端側係止凸２１とが周方向で互いに対向し、一方のスプリング係止部１７ａの前端側係止凸部１９と、他方のスプリング係止部１７ｂの前端側係止凸１９とが周方向で互いに対向して配置されている。
【００３４】
そして、スプリングの一方の組の内周側部７ｂは前側係止凸部１９、１９間に跨って配置しており、他方の組の内周側部７ｃは後側係止凸部２１、２１間に跨って配置している。
【００３５】
また、本実施の形態では、図１及び図５に示すように、レンズを収納した状態においてレンズ支持体５の重心Ｇに対して、光軸方向における前側係止凸部１９と後側係止凸部２１とは、重心Ｇを挟む位置にあり、換言すれば、スプリングの一方の組の内周側部７ｂと他方の組の内周側７ｃとで、レンズ支持体５の光軸方向における重心Ｇを、相対的に挟んで位置している。
【００３６】
図５に示すように、ベース９は底面にレンズ支持体５の後端５ｂと当接する被当接部２３を有し、前後方向の中間部にスプリング７の外周側部７ａを載置するスプリング載置部２５が形成されている。
【００３７】
被当接部２３は、レンズ支持体５が初期位置（コイルに通電していないときの位置）にあるときにスプリング７の一方の組の内周側部７ｂにより後方に押し付けられたレンズ支持体５の後端５ｂに当接する。
【００３８】
スプリング載置部２５は、スプリング７の外周側部７ａを載置して、スペーサ１１との間にスプリングの外周側部７ａを挟持している。このスプリング載置部２５は、レンズ支持体５の前端５ａと後端５ｂとの間に位置すると共に、重心Ｇよりもわずかに後側に位置している。
【００３９】
次に、本発明の実施の形態に係るレンズ駆動装置１の組立て、作用及び効果について説明する。レンズ駆動装置１の組立ては、図４及び図５に示すように、ベース９に、スプリング７、コイル１５を固定したレンズ支持体５、スペーサ１１、マグネット１３を内部に固定したヨーク３を組み付け、ベース９のスプリング載置部２５にスプリング７の外周側部７ａを載置してスペーサ１１で挟み、レンズ支持体５の外周面に設けた前側係止凸部１９にスプリング７の一方の組の内周側部７ｂを前側から係止し、後側係止凸部２１に他方の組の内周側部７ｃを前側から係止する。
【００４０】
本実施の形態に係るレンズ駆動装置１の駆動は、スプリング７に設けた端子３３、３５からコイル１５に通電すると、コイル１５に作用する電磁力で、レンズ支持体５はスプリング７の腕部７ｄの弾性力に抗して前方に移動し、スプリング７の腕部７ｄの弾性力と電磁力とが釣り合う位置で停止する。
【００４１】
本実施の形態によれば、スプリング７は、その外周側部７ａをレンズ支持体５の前端と後端との間（中間部）に対応する位置に配置し、一方の組の内周側部７ｂ、７ｂと他方の組の内周側部７ｃ、７ｃは、レンズ支持体５の前端と後端との間（中間部）において、前後方向の異なる位置でレンズ支持体に係止しているので、一つのスプリング７でレンズ支持体５を支持することができ、２つのスプリングを用いる従来技術と比較して部品点数を削減することができる。
【００４２】
一つのスプリング７でレンズ支持体５を支持しているから、従来技術のように２つのスプリングでレンズ支持体を支持する場合に比較して、２つのスプリングの精度誤差や取付誤差に基づくレンズ支持体の光軸の傾きを防止できると共に、組み付け時におけるレンズ支持体５の光軸調整が容易にできる。
【００４３】
レンズ支持体５に係止したスプリング７では複数の内周側部７ｂ、７ｃが各々独立して腕部７ｄにより外周側部に連結しているので、レンズ支持体５が径方向に移動した場合に四方に設けた内周側部７ｂ、７ｃが各々レンズ支持体５を中央に向けて付勢するから、レンズ支持体５が径方向に偏るのを防止でき且つレンズ支持体５の芯出しが容易にできる。
【００４４】
スプリング７において、他方の組の内周側部７ｃ、７ｃは外周側部７ａと前後方向が同じ位置にあり、一方の組の内周側部７ｂ、７ｂを他方の組の内周側部７ｃ、７ｃよりも前側に配置して、レンズ支持体５をベース９に向けて付勢力することにより当接させているので、レンズ駆動装置１の非駆動時（コイル１５に通電していない状態）において、落下や振動等の外力に対するレンズ支持体５の振れを低減できる。
【００４５】
レンズ支持体５に設けたスプリング係止部１７ａ、１７ｂは、周方向に間隔をあけて設けてあり、スプリング７の各内周側部７ｂ、７ｃはスプリング係止部１７ａ、１７ｂ間に跨って係止していると共に各内周側部７ｂ、７ｃに接続されている腕部７ｄはスプリング係止部１７ａ、１７ｂ間に位置するので、スプリング７の腕部７ｄがスプリング係止部１７ａ、１７ｂと干渉するのを防止できる。
【００４６】
スプリング７の一方の組の内周側部７ｂと他方の組の内周側７ｃとは、レンズ支持体５の光軸方向における重心Ｇを相対的に挟んだ位置でレンズ支持体５を支持しているので、一つのスプリング７でレンズ支持体５を安定に支持することができる。
【００４７】
本発明は、上述した実施の形態に限らず、本発明の要旨を逸脱しない範囲で種々変形可能である。
【００４８】
例えば、スプリング７の外周側部７ａは平面視矩形に限らず、円形にしてもよいし、６角形等の多角形であってもよく、形状は問わない。また、スプリング７の内周側部７ａ、７ｂは、対になる組を２組設けたが、これに限らず、例えば３組設けてもよく、２組以上であれば良い。
【００４９】
スプリング７は、同じ形状のものを２枚重ねてものを一つのスプリングとして用いても良い。
【符号の説明】
【００５０】
１      レンズ駆動装置
３      ヨーク
５      レンズ支持体
７      スプリング
７ａ    外周側部
７ｂ    一方の組の内周側部
７ｃ    他方の組の内周側部
７ｄ    腕部
９      ベース
１３    マグネット
１５    コイル
１７ａ  スプリング係止部
１７ｂ  スプリング係止部
１９    前側係止凸部
２１    後側係止凸部
Ｇ      重心
【図１】
2011013452.tif 000003
【図２】
2011013452.tif 000004
【図３】
2011013452.tif 000005
【図４】
2011013452.tif 000006
【図５】
2011013452.tif 000007
【図６】
2011013452.tif 000008